(57)【特許請求の範囲】
【請求項１】
ウォーキングシューズの靴底に装着するウォーキング用の助成具である支持体はその前後端を肉薄とし中央を肉厚とする弾性ゴム素材から形成した靴底の土踏まずの部分を覆う大きさを有し、ウォーキング時に股関節を中心とする靴底面までの半径で描く円弧に倣う形状に変形する素材からなり、支持体の幅方向端部に吊上げリングを有し、吊上げリングに靴本体へ係止する係止バンドを配設して有するウォーキング助成具において、弾性ゴム素材からなる支持体は冬季の圧雪路面や氷結路面の防滑用として弾性ゴム素材にクルミ殻や籾殻の粉砕粉を混練して成形した成型体からなることを特徴とするウォーキングシューズの靴底に装着するウォーキング助成具。
【請求項２】
弾性ゴム素材からなる支持体は、靴底の土踏まず部が深い場合にその深さを補うために、靴長さ方向の長さを段階的に短くした複数枚の一定厚さの弾性のスペーサーを上部に積層して一体化した支持体から形成し、ウォーキング時に股関節を中心とする靴底面までの半径で描く円弧に倣う形状に変形せしめることを特徴とする請求項１に記載のウォーキングシューズの靴底に装着するウォーキング助成具。
【請求項３】
支持体を形成する弾性ゴム素材は、ウォーキング時の路面から受ける荷重反力を靴底に確実に伝える硬さと靴底各部の動きに追随する柔軟な弾性を有し、弾性ゴム素材からなる支持体は上面に中央から幅方向と長さ方向へ支持体の厚みの２〜４倍の幅と厚みの１／２の深さからなる十文字形の溝を形成して支持体上面を４分割し、４分割された支持体を靴底の動きに倣って容易に湾曲するものとしたことを特徴とする請求項２に記載のウォーキングシューズの靴底に装着するウォーキング助成具。
【請求項４】
十文字形の溝はその溝底面の溝長手方向に溝幅大の複数の細幅の小溝孔をすだれ状に適宜間隔をあけて有し、該すだれ状の細幅の小溝孔により４分割された支持体の湾曲を一層容易とし、靴底の土踏まずの中央部に集中しやすい路面からの荷重反力を土踏まず全域に分散させ、ウォーキング時の靴底の自在な動きを妨げない支持体の硬さと弾性を得ることを特徴とする請求項３に記載のウォーキングシューズの靴底に装着するウォーキング助成具。
【発明の詳細な説明】
【技術分野】
【０００１】
本発明は体力維持および増進のための運動として行うウォーキングにおいて、ウォーキングシューズに装着するウォーキング助成具に関し、特にウォーキングシューズの靴底の土踏まずの部分に装着するウォーキング助成具に関する。
【背景技術】
【０００２】
健康のために運動として行うウォーキングは、ウォーキングと称して種々の道路を適宜な速度と時間で歩行する方法が行われており、これらのウォーキングに使用する靴には様々なものが開発されている。さらには、これらのウォーキング用の靴において、ウォーキング時の脚の動きを股関節からの脚の形状と靴底の足先から踵部までの形状で体型を捉えるとき、ウォーキング時の足部の体型の動きが理想的な股関節からの円弧状の体型となるのが理想的である。しかし、この体型でウォーキングするために、ウォーキングをより快適とし、さらに健康により役立ち得るものとする助成具を工夫し、この助成具をウォーキング用の靴の靴底に外装することは、従来のウォーキング用の靴に対しては行われてこなかった。
【０００３】
従来のウォーキング運動用の靴に対して、靴底の土踏まずに靴底と硬度の異なる構造体を外装するものが提案されている（例えば、特許文献１参照。）。このものは土踏まず全体への加圧効果を与えるものであるが、上記したウォーキング時の股間節からの円弧状の体型の動きとするものではない。
【０００４】
さらに、靴底の土踏まずに半円柱状の硬質材を着脱するものもある（例えば、特許文献２参照。）。このものは指圧効果とリズミカルなウォーキングを可能とするものであるが、このものも上記したウォーキング時の股間節からの円弧状の体型の動きとするものではない。
【０００５】
さらに、靴底の土踏まずの部分を平面状態とし、靴内の中底シートに土踏まずに沿うように膨出させた履物が提案されている（例えば、引用文献３参照。）。しかし、このものは靴自体に土踏まずの部分の下面を平面とするものであり、後付けの外装するものではなく、かつ、この土踏まずの下面が平面のものでは、上記したウォーキング時の股間節からの円弧状の体型の動きとすることはできない。
【０００６】
また、さらに、靴底に取り付ける坂道歩行用の補助具で、架台中央部下に凸部を設けた補助具をバンドで靴に取り付けることができるものとしたものが提案されている（例えば、引用文献４参照。）。しかし、このものは登山などの坂道の登り下りに使用するもので、登り下り時の坂道が平坦な道を歩くときと同様な体型で歩けるようにするものであり、片寄った荷重でなく、均衡のとれた荷重が足に掛かるようにしたものである。しかし、このものは、平坦路において使用しても路面への靴底の転がりを容易にするものではなく、しかも、健康のために平らな道路をウォーキングするための靴の靴底に取りつけ、ウォーキング時に股関節の部分からの円弧状の体型の動きをスムースに行わせることを狙いとするものでもない。
【０００７】
望ましいウォーキングはどのようなものであるか、ということについて以下のように定義されている（例えば、非特許文献１参照。）。それによると、（１）癖：歪みのない姿勢、すなわち、長い間の生活習慣で知らずに身体に染みついた癖である歪みをそのままにして歩いても、疲れたり痛みが生じたりする。両手の平を内側に向けて頭上にあげ、身体全体を上に引き上げて良く伸ばし、そのまま両手と踵を下ろしてみる。首筋と背筋が伸び、胸も張り、腹も引き締まっている。この姿勢を保って歩く。目線は正面に向け、景色を眺めて楽しむような高さに保つ。（２）膝をのばす：前足を振り出したときに膝をよく伸ばし、伸びきったときに踵からすっと着地する。膝が曲がったままだと歩幅が狭くなり、足の裏全体で着地するのでベタベタ歩きになる。後足も膝の後が伸びきるようにし、最後に５本の足指をしっかり拡げて踏んばって拇指で蹴りながら踏み込むと、その反発力が腰に戻り、腰がグッと前方に押し出されるので、股関節が拡がり歩幅がさらに大きくなって、姿勢も美しくなる。（３）足の裏を転がすように重心移動：すなわち、前足の踵が着地したら、脛の筋肉を用いて滑らかに転がすように拇指に向かって体重を移動する。踵から土踏まず外側アーチ、足芯、付け根と重心が動いていくのを意識で追いかけるようにし、最後に５本足指で地面を掴むようにしながら拇指でける。（４）歩幅は身長の１／３から１／２：すなわち、歩幅の目途は、普段の歩きで身長の３分の１、スピードの乗った歩きで２分の１。身長１７０センチの人の歩幅だと踵から踵まで５６センチ、２足分が入ると８４センチということになる、としている。しかし、これらの理想を実現するウォーキングに適したウォーキングシューズは今だに実現されていない。
【０００８】
【特許文献１】特開２００１−３４０１０４号公報
【特許文献２】特開平１１−３１８５０号公報
【特許文献３】特開２００３−３０４９０４号公報
【特許文献４】特開２００２−５１８０７号公報
【非特許文献１】スキージャーナル出版編集部（協力：日本歩け歩け協会）編「決定版／ウォーキング・マニュアル」、スキージャーナル、１９９８年発行
【発明の開示】
【発明が解決しようとする課題】
【０００９】
一般に身体の荷重を支えながらウォーキングする際、靴底のウォーキング運動の軌跡が股間節を中心とする円弧を描き出すことにより、ウォーキング時の靴底部の体重移動を踵から足指までの範囲で滑らかにすることが理想とされる。この理想に沿うように設定した助成具をウォーキングシューズの靴底に装着することにより、ウォーキング時の足裏部の体重移動を踵から足指までの範囲で滑らかにすることができることを発明者は見出している。
【００１０】
そこで、本発明が解決しようとする課題は、足を股関節から大股で動かす快適なウォーキングを容易に可能なものとし、かつ、足裏の土踏まず部分への適度な圧迫を付与することによって、足部の静脈血流の循環を活発化して直接に健康に役立ち得る支持体からなる靴底に装着するための助成具を提供することである。
【課題を解決するための手段】
【００１１】
上記の課題を解決するための本発明の手段について以下に説明する。請求項１の発明では、ウォーキングシューズの靴底に装着する支持体を有するウォーキング用の助成具におけるものであり、支持体は、その前後端を肉薄とし中央を肉厚とする弾性ゴム素材から形成した靴底の土踏まずの部分を覆う大きさを有し、ウォーキング時に股関節を中心とする靴底面までの半径で描く円弧に倣う形状に変形する素材からなっている。この支持体の幅方向端部に吊上げリングを有するウォーキング助成具において、弾性ゴム素材からなる支持体は冬季の圧雪路面や氷結路面の防滑用として弾性ゴム素材にクルミ殻や籾殻の粉砕粉を混練して成形した成型体からなっているウォーキングシューズの靴底に装着するウォーキング助成具である。
【００１２】
請求項２の発明では、弾性ゴム素材からなる支持体は、靴底の土踏まず部が深い場合にその深さを補うものであり、靴長さ方向の長さを段階的に短くした複数枚の一定厚さの弾性のスペーサーからなり、これらのスペーサーを上部に積層して一体化した支持体から形成されている。そして、支持体に一体化して積層されたスペーサーはウォーキング時に股関節を中心とする靴底面までの半径で描く円弧に倣う形状に支持体を変形せしめることからなる請求項１の手段におけるウォーキングシューズの靴底に装着するウォーキング助成具である。
【００１３】
請求項３の発明では、支持体を形成する弾性ゴム素材は、ウォーキング時の路面から受ける荷重反力を靴底に確実に伝える硬さとともに靴底各部の動きに追随する柔軟な弾性を有する素材からなっている。さらに、この弾性ゴム素材からなる支持体は、支持体上面に中央から幅方向と長さ方向へ、支持体の厚みの２〜４倍の幅と支持体の厚みの１／２の深さからなる十文字形の溝を形成して支持体の上面を４分割している。この４分割された支持体を靴底の動きに倣って容易に湾曲するものとした請求項２の手段におけるウォーキングシューズの靴底に装着するウォーキング助成具である。
【００１４】
請求項４の発明では、十文字形の溝は、その溝底面の溝長手方向に溝幅大の複数の細幅の小溝孔をすだれ状に適宜間隔をあけて有する。このすだれ状の細幅の小溝孔により４分割された支持体が一層容易に湾曲されるものとなっている。この４分割により靴底の土踏まずの中央部に集中しやすい路面からの荷重反力を土踏まず全域に分散させ、ウォーキング時の靴底の自在な動きを妨げない支持体の硬さと弾性を得得ることとした請求項３の手段におけるウォーキングシューズの靴底に装着するウォーキング助成具である。
【発明の効果】
【００１５】
本発明は上記の手段としたことで、このウォーキング助成具の支持体をウォーキングシューズの土踏まずの部分へ装着することにより、股関節から靴底までの半径で描く円弧に沿って、ウォーキング時にウォーキングシューズの靴裏を大股で動かす理想的な上記の円弧状に形状化してウォーキングを容易に実現可能なものとし、かつ、足裏の土踏まず部分へ適度な圧迫力を付与できる硬さと弾性を有する支持体とすることによって、さらに支持体に十文字の溝や、この溝底に細幅の小溝孔を設けることで、支持体を自在に曲がりうるものとし、この支持体を靴底に有するウォーキングシューズを履いた足の動きを自在なものとし、その結果、足部の静脈血流の循環を活発化して健康に役立ち得るものとし、さらに靴底の土踏まずの凹部の深いものであっても、土踏まずの凹部に合わせた大きさのスペーサーを支持体に積層して一体化したので、路面を靴底の土踏まず部と適切な接触面で接触させることにより足部の静脈血流の循環を活発化することができるなど、本発明は優れた効果を奏するものである。
【発明を実施するための最良の形態】
【００１６】
本発明の実施の形態を図面を参照して順次に説明する。先ず、請求項１に係る発明の手段では、ウォーキングシューズ１の靴底２に装着するウォーキング用の助成具３は、ウォーキングシューズ１の靴底２の土踏まず４の部分に装着する支持体５を有する。図１に示すように、この助成具３は支持体５を有し、この支持体５の前端５ａおよび後端５ｂは厚さは２ｍｍ前後の肉薄の弾性ゴム素材で、支持体５の前後方向の中央５ｃは厚さは６ｍｍ前後に肉厚の弾性ゴム素材である。支持体５の大きさは靴底２の土踏まず４の部分を覆う大きさで長方形からなる。支持体５の弾性ゴム素材は支持体５を靴底２に装着したウォーキングシューズ１を履いてウォーキングする時に股関節８から靴底面２ａまでの半径９で描く円弧１０に倣う形状に変形して曲がり得る素材である。さらに支持体５の左右の幅方向端部５ｅには、それぞれ吊上げリング１１を有している。この左右の吊上げリング１１に甲皮、腰皮および踵部からなる靴本体１ａへ係止する係止バンド１２を通して掛けている。
【００１７】
この場合、靴底２の土踏まず４の部分を覆う支持体５の大きさは、靴底２の土踏まず４の横幅以上の幅を有し、図１に示すように、吊上げリング１１を介して、靴底２の土踏まず４の面に支持体５を密着するように靴本体１の甲部１ｂと靴後部の踵部１ｃへ係止バンド１２を掛けている。この場合、図５に示すように、係止バンド１２の甲バンド１２ａの端部同士を、さらに踵バンド１２ｂの端部同士を、それぞれ平面ファスナー１２ｃ等の着脱容易な手段により固定するものとしている。
【００１８】
適度な硬度のある弾性ゴム素材からなる支持体５は、図１に示すように、靴先ソール面２ｂと踵ソール面２ｃを結ぶ面より上部に土踏まず４を高めて支持する厚さを有する。この場合、図２に示すように、支持体５の上面は、靴先ソール面２ｂと踵ソール面２ｃの間を滑らかに結ぶように、支持体５の中央５ｃの中高の面から靴底２と接する支持体５の前端５ａの面と後端５ｂの面へ緩やかな傾斜面５ｄでもって低下し、凹面を形成する靴底２の土踏まず４の部位に安定的に位置するものとなっている。支持体５の幅方向端部５ｅには、吊上げリング１１のリング径に合わせたリング嵌合溝孔５ｈを有するリング立上げ片５ｆを一体化して有する。このリング立上げ片５ｆに吊上げリング１１が嵌り込むリング嵌合溝孔５ｈの切り込みを有し、この切り込みにより支持体５の小さな動きは制約しないが、リング立上げ片５ｆのリング嵌合溝孔５ｈから吊上げリング１１が外れないようにしっかりと固定している。
【００１９】
支持体５の吊上げリング１１は、例えばステンレス鋼棒からなり、ウォーキング時の荷重に耐えかつ支持体５の接地面から下方に突出して路面１３に接触しないリング径、例えばφ４．０ｍｍ、を有し、リング立上げ片５ｆのリング嵌合溝孔５ｈの切り込みに嵌合されている。この吊上げリング１１は上記のステンレスの他にＡＢＳやポリアセタールなどの機能性プラスチックから形成することができる。リング立上げ片５ｆのリング嵌合溝孔５ｈに嵌合することで吊上げリング１１の係合部が自由に動きうる自由度を有し、これによりウォーキング時の衝撃を緩和しながら支持体５を磨耗や引き裂きに耐えるように保持する。
【００２０】
一方、図６に示すように、支持材５の上面の十字形の溝６のうち靴幅方向に伸びる溝６を挟んで支持体５の前部と後部から上方に支持体５と同一の弾性素材から一体成形してリング状に立ち上げて形成した吊上げリング１１とすることもできる。この弾性素材からなる吊上げリング１１の場合には、支持体と一体成形しているので、吊上げリング１１を嵌合するためのリング立上げ片５ｆは不要である。この弾性素材の一体成形した吊上げリング１１の厚みは支持体５の中央５ｃの厚みの１／２倍とし、この吊上げリング１１の幅は下記の係止バンド１２の係止固定に耐えられるようにこの吊上げリング１１の厚みの２倍以上のものとし、かつ、支持材５の端部からこの吊上げリング１１の上端に向かって厚みに波形１１ａを形成した構造とする。このようにすることで支持体５の係止バンド孔１１ｂを形成した部分の吊上げリング１１の厚みが支持体５の中央５ｃの厚みより薄く、厚みに波形１１ａを有することで、この吊上げリング１１の係止バンド孔１１ｂの部分が伸縮により靴底横幅に沿い易く、かつ、支持体５にかかる衝撃を緩和して耐久性を高めている。
【００２１】
吊上げリング１１に係止する係止バンド１２は、皮、織布、プラスチックシートおよびゴムシートなどの素材から形成する。係止バンド１２の吊上げリング１１への係止はバンド１２の端部に配設の平面ファスナー１２ｃにより係着する方法からなる。この場合、係止バンド１２を形成する甲バンド１２ａにより靴の甲部１ｂに係着し、一方、係止バンド１２を形成する踵バンド１２ｂにより靴後部の踵部１ｃに係着することで、靴底２に支持体５を着脱自在に係止し、かつ、これらの甲バンド１２ａや踵バンド１２ｂにより靴の甲部１ｂと靴後部の踵部１ｃの締め付けを調整可能として、支持体５を靴底２の土踏まず４の中央下部へ密着させている。さらに係止バンド１２の甲バンド１２ａおよび踵バンド１２ｂの２本はそれぞれ端部で１本化され、吊上げリング１１への固定は上記の平面ファスナー１２ｃによる方法以外にハトメや縫い合わせなどの靴の甲に抵抗を与えない固定方法とする。さらに上記の平面ファスナー１２ｃによる係着に代えて固定用のバックルや、Ｄリングによる係合とすることもできる。この係止バンド１２の役割は、単に支持体５を靴底に固定するだけでなく、使用者の足部の固有の形状に合わせて支持体５を靴底２の土踏まず４の適正な位置に設置することである。このために係止バンド１２は甲バンド１２ａおよび踵バンド１２ｂに分離し、バンド長さの調整自在な平面ファスナー１２ｃや固定用のバックルやＤリングによる係合とする。
【００２２】
この請求項１に係る発明の手段では、弾性ゴム素材からなる支持体５は、冬季の圧雪した路面１３や氷結した路面１３の防滑用として、弾性ゴム素材にクルミ殻や籾殻の粉砕粉を混練して成形した成型体からなるウォーキングシューズ１の靴底２に装着するウォーキング用の助成具３である。支持体５の下面である接地面は、靴先ソール面２ｂと踵ソール面２ｃの中間に位置する。そのため、ウォーキング時に、踏み出した前足の靴底２が着地する際、その足の靴底２の後端部である踵ソール面２ｃが先に接地され、蹴りだした後足の靴底２が路面１３から離れる際、その足の靴先ソール面２ｂが最後に路面１３から離れることとなる。このように路面１３に着地する場合あるいは路面１３から離れる場合、土踏まず４の位置に配設の支持体５の部分は。路面１３との接地に力が掛からない。したがって、通常の路面１３では、支持体５に大きな防滑性能をもたせる必要はない。しかし、冬季の圧雪した路面１３や氷結した路面１３では靴底全面が滑り易いので、摩擦抵抗の大きな吸水性能に優れており、雪面に対する防滑材として知られるクルミ殻またはもみ殻の粉砕粉を原料のゴム材料に練り込んで成型した支持体５を用いるものとする。この支持体５とすることで接地面に対する靴底中央部での防滑性能を付与し、さらに支持体５の表面が磨耗しても常に新しい防滑性能の面が表出するものとし、雪面や氷結面に対する防滑性能を常時発揮するものとしている。上記の防滑材として原料のゴム材料に練り込むクルミ殻や籾殻の粉砕粉は、ゴムポリマー成分１００質量部に対して、その配合量を３〜２０質量部として練り込んで成形する。
【００２３】
請求項２に係る発明の手段では、支持体５は、複数枚の弾性材からなる一定厚さからなり、長さを段階的に短くしたスペーサー７を上部に積層して一体化したものからなっている。この支持体５を靴底２に装着することにより、ウォーキングの際に股関節８を中心とする靴底２の面までの半径９で描く円弧１０に倣う形状に、支持体５を含む靴底２の面の形状を変形可能としている。
【００２４】
すなわち、支持体５のスペーサー７は、多種かつ多サイズのウォーキングシューズ１に合わせて、支持体５の高さ位置を一定高さに保持するために、支持体５の上に載置して支持体５と一体化したものである。このために、靴底２の土踏まず４の上方へ凹む凹みの形状に合わせた高さ調整が行えるように、スペーサー７を支持体５の前後の長さよりも短く、上部になるに連れて前後方向の長さを短いものとした複数を適宜枚数として重ね合わせ、かつ、１枚のスペーサー７の厚さを支持体５の最大厚みの１／３の厚みのものとし、上記のように支持体５の上と靴底の土踏まずの間に挿入したものとしている。この場合、支持体５への固定は、支持体５の吊上げリング１１の内径に嵌りこむ切り欠き溝７ｂを各スペーサー７の横幅方向の端部７ａの両端部に設け、この切り欠き溝７ｂに吊上げリング１１を着脱可能に挿着して固定して一体化している。
【００２５】
支持体５は、図１に示すように、ウォーキング時の身体の荷重と係止バンド１２の締め付け力により、靴底２の土踏まず４の部位へ密着する。したがって、路面１３に対して凹みを形成する靴底２の土踏まず４の形状に倣い易くするように、接地面と反対の面である支持体５の上面は、図２に示すように、土踏まず４の靴長手方向の中央５ｃを左右の吊上げリング１１の方向に伸びる幅２０ｍｍの溝６の溝肩部の部分を６ｍｍ内外の厚みの頂点部分に形成し、靴底面２ａの靴先ソール面２ｂ側と踵ソール面２ｃ側へ緩やかな傾斜面５ｄを形成して厚みを徐々に薄くして支持体５の前端５ａと後端５ｂの部分を２ｍｍ内外の厚みに薄くしている。このように傾斜面５としたことで、運動時に地面からの荷重反力により支持体５およびスペーサー７を靴底２の土踏まず４の形状に沿うものとし、靴底面２ａの靴先ソール面２ｂから踵ソール面２ｃまでの間に所定の連続的な円弧１０に形状化させるものとしている。
【００２６】
図６に示すように、スペーサー７の１枚の厚みは、靴底面２ａから通常に必要な支持体５の厚みの１／３内外の厚みとし、スペーサー７の横幅は支持体５の横幅と同じとする。しかし、スペーサー７の靴長手方向の長さは支持体５より段階的に短いものとし、ウォーキング時の靴底２の土踏まず４に形成される凹状の形状に合わせた必要枚数の複数枚からなるスペーサー７を、上層に徐々に短くなるものとして積層し、各スペーサー７の前後の中心を一致させてピラミッド型とすることで、ウォーキング時の靴底２の土踏まず４に形成される凹状形状に合致した厚みとしている。
【００２７】
請求項３に係る発明の手段では、支持体５はウォーキング時の路面１３から受ける荷重反力を足裏に確実に伝え得る硬さを有する弾性材で形成される。しかし、ウォーキング時の足裏は、身体の荷重が”あおり歩行”と呼ばれる、踵ソール面２ｃの後縁から土踏まず４の小指側の外縁をたどって靴先ソール面２ｃの小指付け根から親指付け根の靴底前部へ連続的に移行する変化の多い動きをする。このため、支持体５は硬さを維持しながら靴底面２ａの各部の動きに追随して曲がり得る弾性による柔軟性をも持ち合わさねばならない。そこで支持体５の上面である靴底面２ａとの内接面には、図２に示すように、支持体５の厚みの２〜４倍に相当する大きさの幅を有し、かつ、支持体５の厚みの１／２の深さを有する十文字形の溝６を支持体５の中央５ｃから幅方向および長さ方向へ彫り込んで形成している。この十文字形の溝６により支持体５は曲がって支持体５の上面を凹状とすることができる。この支持体５の曲がりに応じて、支持体５と一体化されたリング立上げ片５ｆも、同方向に曲がり得るように、リング立上げ片５ｆの上面中央部に曲げ溝５ｇが形成されている。
【００２８】
請求項４に係る発明の手段では、図４に示すように、十文字形の溝６を形成する幅方向と長さ方向の各溝６の溝底面には、溝幅方向の複数の小溝孔６ａを十文字形の各溝６の長手方向に、適度な間隔をあけてすだれ状に形成している。十文字形の溝６によって４分割された支持体５が靴底２の動きにより曲がるとき、さらに、すだれ状に開口する複数の小溝孔６ａによって、一層自在に曲がって動けるものとしている。このすだれ状に形成した複数の小溝孔６ａにより、靴底２の土踏まず４の中央５ｃに集中しやすい路面１３からの荷重反力を土踏まず４の全域に分散し、ウォーキング時の靴底面２ａの自在な動きを妨げない支持体５の硬さと弾性を実現するものとしている。
【００２９】
本発明における、支持体５の中央５ｃを厚くし、前端５ａと後端５ｂをそれぞれ薄くして支持体上面を傾斜面５ｄとする厚み形状は、その形状によってウォーキング時の体重移動を容易にし、快適なウォーキングを実現することと、靴底２の土踏まず４の圧迫効果を高めて足部の静脈流の循環を活発化することの二つの目的を達成するものである。このように、中央５ｃに６ｍｍ前後の中高の厚みを形成した支持体５は、靴底面２ａに土踏まず４を有しない靴底２に対しては、スペーサー７を有しない支持体５のみを適用する。一方、土踏まず４が設けられた靴底面２ａに対しては、靴底面２ａと支持体５の間に生じる間隙４ａを補うように、支持体５の厚みを増すために支持体５の上面にスペーサー７を適宜枚数だけ積層し、靴底面２ａの土踏まず４に一定の中高の形状を作り出すものとする。このように土踏まず４に中高形状を作り出したことによって、ウォーキング用の多種のウォーキングシューズ１において、理想とされるウォーキング体型を実現することができる。このウォーキングにおいて理想とされるウォーキング体型は上記した円弧１０の形状の靴底面２ａの軌跡を示すものである。
【００３０】
このウォーキングにおいて理想とされるウォーキング体型は、歪みのない立脚した姿勢、膝８ａを伸ばしたウォーキング、足裏を転がすローリングのような重心移動、スピードの載った歩きなどにおいて、その歩幅の目処は身長の１／２とされる。しかし、支持体５の中央５ｃの中高形状は理想のウォーキングの体型の中で、膝８ａを伸ばしたウォーキングおよび足裏を転がすローリングのような重心移動するウォーキングの２点は、図７に示すように、ウォーキングで生じる各身体の部分の必要な動きを補うものである。すなわち、膝８ａを伸ばしたウォーキングということは、必然的に身体の靴底２の軌跡は、着地点である踵ソール面２ｃから股関節８までの長さを半径９とする円の円弧１０を描くことになる。例えば、図７に示す中央部の直立している脚では靴底２は実線で示す円上にあり、この場合、靴底２の軌跡が描く円弧の中心である股関節８の位置は最も上方とした位置にある。このように、着地点である踵ソール面２ｃから離地点である土踏まず４の前方の靴先ソール面２ｂに至る間に股関節８から踵ソール面２ｃまでの長さを半径９とする円弧１０の形状を支持体５によって靴底面２ａに作り出すことで、股関節８を上下動幅８ｂだけ上下に移動する。すなわち、前足を前方にしかつ後ろ足を後方にした状態では、股関節８の位置は上下動幅８ｂ分だけ下がった位置にあり、この下がった位置にある股関節８を中心とする円は、図７で、点線で示している。このように股関節８を上下動しながら、ウォーキング時に靴底面２ａは効果的に上下動する円弧の形状をたどっている。さらに上記の中高の大きさの形状を支持体５に作り出すことで靴底２を転がすように重心移動させるという点から、靴底面２ａの形状は支持体５の下面と滑らかな連続した円弧１０の形状になる。このように支持体５を形成することにより、ウォーキング時の身体の重心移動は靴底面２ａで形成する円弧１０の形状をたどることとなり、上記の膝８ａを伸ばしたウォーキングする点と靴底２を転がすように路面１３に接地して重心移動する点の２点の要点に加えて、ウォーキングの他の要点である歪みのない姿勢の点と大きな歩幅での歩行の点の２点も実現できる。このように適切に設定した中高の厚みを持つ形状である支持体５を靴底２の土踏まず４に適用することにより、さらに快適なウォーキングが実現できる。
【００３１】
ところで、図８の（ａ）に示す、靴底２に土踏まず４の形成されていないウォーキングシューズ１において、靴底面２ａとの接合面が前後方向の平らな斜面で構成される支持体５を靴底面２ａの足の土踏まずの位置の下面に配設した場合、支持体５の接地面側が上記の理想の円弧１０を描くかどうかという点については、格別に支持体５の接地面側を円弧状に形状化して置かなくとも、ウォーキングシューズ１を履いてウォーキングする結果、図８の（ｂ）に示すように、自然に望ましいウォーキングに適した形状に、支持体５の後端５ｃの後方の踵ソール面２ｃから支持体５の前端５ａの前方の靴先ソール面２ｂに至る靴底面２ａが緩やかな図７に示す円弧１０を描くように変形される。そして、靴幅方向に伸びる溝６の断面形状は図８の（ａ）から（ｂ）に示すようにその溝巾を円弧に合わせるように伸縮する。このとき支持体５の上面は靴底面２ａに材料弾性により土踏まず４の形状を形成し、靴底面２ａの土踏まず部分に支持体５の厚み５ｉを形成する。この結果、靴底面２ａは図７に示す緩やかな円弧１０を容易に実現できることとなる。
【００３２】
一方、図９の（ａ）に示すように、靴底２に土踏まず４が形成されているウォーキングシューズ１においては、上記したように、土踏まず４の部分の高さの調整のために、支持体５の上に上方になるにつれて短く長さを異なるものとした複数のスペーサー７を重ねて載置する。しかし、この場合、図９の（ｂ）に示すように、スペーサー７を支持体５上に挿入することにより、靴底２の土踏まず４の部分の支持体５の前端５ａおよび後端５ｂの部分に生じる路面１３との間隙４ａを全て無くす必要はない。スペーサー７の前縁７ｃと後縁７ｄが支持体５の前端５ａおよび後端５ｂとの間で靴底２に当接することで、支持体５が土踏まず４の前部と後部の部分で、靴底面２ａと間隙４ａをあけて上方に曲がって架橋状となり、路面１３とスペーサー７を含む支持体５の上面の靴底の土踏まず４の部分との間に厚み５ｉを形成する。その結果、土踏まず４を有する靴底面２ａは、図７に示す緩やかな円弧１０を形成し、それに合わせる靴幅方向に伸びる溝６の断面形状も伸縮し変形する。この作用を利用すれば、スペーサー７の前後方向の長さが、支持体５の前後の方向長さより徐々に短くなった複数枚の厚みの同じスペーサー７を揃えて保持しておくことで、ウォーキング対象のあらゆる靴種に対して、スペーサー７の前後方向の長さと積重ね枚数を選択することで、さまざまな土踏まず４の高さを有するウォーキングシューズ１に対応することができる。
【００３３】
この支持体５は７０ミリメートル内外の長さの土踏まず４を覆う前端５ａと後端５ｂにおいて、十文字形の溝６の中央部である支持体５の中央５ｃの平らな中高の厚み部分から斜面となって前端５ａと後端５ｂへ低下することで、靴底２の土踏まず５に沿うように形状化されている。したがって、支持体５はウォーキングのたびに支持体５の厚み分の変形量で靴底２の土踏まず４へ圧迫力を加えることになる。通常の靴底２の場合、こうした土踏まず４への圧迫力は、ウォーキングによる荷重に対する路面反力で体重を超える強さのものとなって痛みを伴うものとなる。しかしながら、本発明では、支持体５に有する斜面が、支持体５の接地側ではなく、靴底面２ａとの接合面である上面側に設けられているので、変形しやすい靴底面２ａと接し易くし、荷重を分散している。さらに、支持体５の中央５ｃの幅方向と長さ方向の十文字形の溝６によって支持体５が立て横に４分割されているので、支持体５が屈曲によって柔軟に靴底面２ａに接することとなり、靴底面２ａへの荷重反力が集中して伝達することがなく、適度に分散した圧迫力となって支持体５に作用する。ウォーキングの一歩ごとの、こうした支持体５の後端５ｂから前端５ａに連続的に移行しながら土踏まず４へ分散した圧力を加える効果は、図１０に示すように、人体の足部の土踏まずに集まるとされる静脈叢１４ａへ作用する加圧力に変わる。この足部の静脈血流は第２の心臓と呼ばれ、足部の筋肉の運動時の伸縮と足部動脈の圧迫で静脈叢および大伏在静脈１４に対する加圧力が生じ血液の心臓への還流が行われ、ウォーキングが健康維持のために推奨される理由の一つが、この静脈血流の還流にあることは既に公知である。しかし、足部は心臓から最も遠い位置にあるため、血流の還流が行われ難く、むくみの現象を引き起こしやすいことも知られる。本発明の形状の支持体５を装着したウォーキングシューズ１による運動は、痛みを伴うことなく、体重移動に伴う動きのある適度な圧迫を土踏まず部位の静脈叢１４ａへ送り続けることができる。ところで、生理学見地からは、ウォーキングにおける下肢の大伏在静脈１４や土踏まず４部分の静脈叢１４ａの刺激による身体全身の末端部への血流の活発化の現象は知られている。
【００３４】
支持体５は天然ゴム、合成ゴム、ウレタンゴムなどの弾性の素材からなり、用途に応じて無機や有機の充填剤を充填するが、路面１３からの体重反力を確実に靴底面２ａへ伝えるため、路面１３の凹凸に追随しながらも、硬さのある高弾性の素材とする。しかし、このような高弾性の素材を、足裏へ装着する支持体５とするために、板材として使用すると、板材の高弾性なるがゆえに、支持体５は１枚の剛体として機能し、ウォーキング時の足裏の自在な動きを拘束してしまい、結果として膝、足首、足甲、拇指付け根にウォーキング中に痛みを発生させる。こうした欠点を回避して、支持体５へ高弾性の素材を使用するためには、素材の部分的な硬さを生かしながら、素材全体としては柔軟にする手段を採用するものとする。そこで、土踏まずの痛み除去のために、支持体５の靴底２との接合面の中央５ｃに、深さが支持体５の最大厚さの１／２とする、上記した、十文字形の溝６を上記のように形成し、支持体５の板面を４分割する十文字形の溝６とする。さらに適宜、この十文字形の溝６の底部に、図４に示すように、溝幅方向の小溝孔６ａの複数個を等間隔にすだれ状に開口する。これらの十文字形の溝６の機構により支持体５である板材は、硬さのある４ブロックに分かれながら、支持体５の全体としては、路面１３の変化や靴底２の荷重移動の変化にも自在に柔軟に対応して曲がりうる素材となっている。最も自然なウォーキングは、上記した「あおり歩行」であるが、このあおり歩行の運動は、図７に示すように、股関節８の上下運動を伴いながら足裏の前後左右の全てを使用した円滑な運動であるため、一歩の間にその円滑な体重移動運動を拘束する動きがあると、足部の各部は不具合を感じ、股関節８、膝、足首、甲、土踏ます、および、足指の付け根に痛みを発生する。支持体５は体重を支える硬さを持つと同時に、足裏の運動を妨げない柔軟性を実現せねばならず、したがって高い弾性を有する素材によって支持体を形成しながら、柔軟に変形する形状を取る。
【００３５】
次いで、支持体５の上記した防滑性についてさらに説明する。成人用の支持体５の厚みである高さは中央５ｃの最大厚みの部分で６ｍｍ内外とするが、支持体５の前端と後端の厚みは２ｍｍ内外の薄さとするので、この支持体５を有する助成具３をウォーキングシューズ１に装着してウォーキングする場合、靴底２は土踏まず４の部分で容易に変形し、直立した場合、この支持体５を装着した状態で、身体の荷重によって靴底２の踵とソールは同時に着地していることが可能なレベルの硬さおよび段背を有している。この着地状態では、足裏の中心に置かれる支持体５は安定し、単独で滑りを生じる恐れはない。ウォーキング中の靴底２の滑りは、着地と蹴りだしの場合の踵の角部とソール部の路面１３への摩擦力に依存する場合が多い。したがって、この点では、バランスを崩しやすい足の着地と蹴りだしに、支持体５は直接関係することはない。身体の中心で支点として作用する支持体５は、通常の路面１３では強い防滑性は必要ではない。しかし、冬季の圧雪による滑りやすい路面１３あるいは氷結した路面１３において、身体の中心で体重を分担する支持体へ防滑性が求められる。すなわち、段落００２３に記載するように、靴底２の中心で作用する支持体５に摩擦力を与えることは、滑りやすい路面１３に対しても体重のバランスのとりやすい防滑性能を備える。
【図面の簡単な説明】
【００３６】
【図１】ウォーキングシューズに本発明の助成具を付着した状態を示す説明図である。
【図２】十文字形の溝を有する支持体および吊上げリングの組立を示す斜視図である。
【図３】スペーサーを有する支持体および吊上げリングの組立を示す斜視図である。
【図４】小溝孔を形成した十文字形の溝を有する支持体で、（ａ）は平面図、（ｂ）は（ａ）の矢視Ａ−Ａの一部断面図である。
【図５】吊上げリングと係止バンドを示す斜視図である。
【図６】他の実施形態の支持体とスペーサーを示す斜視図である。
【図７】ウォーキング運動の脚の股関節から靴底面の動きを模式的に説明する説明図である。
【図８】土踏まずの無い靴底と支持体の状態を（ａ）の歩行前、（ｂ）の歩行中で対比説明する模式図である。
【図９】土踏まずの有る靴底と支持体の状態を（ａ）の歩行前、（ｂ）の歩行中で対比説明する模式図である。
【図１０】ウォーキングシューズを履いた足の静脈を示す模式図である。
【符号の説明】
【００３７】
１  ウォーキングシューズ
１ａ  靴本体
１ｂ  甲部
１ｃ  靴後部の踵部
２  靴底
２ａ  靴底面
２ｂ  靴先ソール面
２ｃ  踵ソール面
３  助成具
４  土踏まず
４ａ  間隙
５  支持体
５ａ  前端
５ｂ  後端
５ｃ  靴長手方向の中央
５ｄ  傾斜面
５ｅ  幅方向端部
５ｆ  リング立上げ片
５ｇ  曲げ溝
５ｈ  リング嵌合溝孔
５ｉ  厚み
６  溝
６ａ  小溝孔
７  スペーサー
７ａ  横幅方向の端部
７ｂ  切欠き溝
７ｃ  前縁
７ｄ  後縁
８  股関節
８ａ  膝
８ｂ  上下動幅
９  半径
１０  円弧
１１  吊上げリング
１１ａ  波形
１１ｂ  吊上げバンド孔
１２  係止バンド
１２ａ  甲バンド
１２ｂ  踵バンド
１２ｃ  平面ファスナー
１３  路面
１４  大伏在静脈
１４ａ  静脈叢
【図１】
0005010767.tif 000002
【図２】
0005010767.tif 000003
【図３】
0005010767.tif 000004
【図４】
0005010767.tif 000005
【図５】
0005010767.tif 000006
【図６】
0005010767.tif 000007
【図７】
0005010767.tif 000008
【図８】
0005010767.tif 000009
【図９】
0005010767.tif 000010
【図１０】
0005010767.tif 000011